(57)【特許請求の範囲】
【請求項１】
工具受容部を駆動する駆動軸を備えた駆動モータを有する電動工具であって、駆動モータを起動制御すると共に電動工具の運転パラメータに影響を与える起動制御電子装置が設けられており、その場合、この起動制御電子装置に、運転パラメータに外的な影響を与える調整手段が対応して配置されている形式のものにおいて、調整手段（３６）が力センサ（３０）から成っており、操作員がハンドグリップ（１８）をつかんだ手の親指で、その手の位置を変えることなく力センサ（３０）を操作することができる位置に、力センサ（３０）が配置されていることを特徴とする電動工具。
【請求項２】
力センサ（３０）が電動工具（１２）のハンドグリップ（１８）内に組み込まれている、請求項１記載の電動工具。
【請求項３】
力センサ（３０）が、電動工具（１２）のハンドグリップ（１８）を形成しているケーシング部分（１６）の外套のすぐ下に配置されている、請求項１又は２記載の電動工具。
【請求項４】
力センサ（３０）のセンサ面（３２）が外套（３４）へ向けられている、請求項１から３までのいずれか１項記載の電動工具。
【請求項５】
外套（３４）が、力センサ（３０）の領域内では、この領域を囲むケーシング部分（１６）に比して薄肉に形成されている、請求項１から４までのいずれか１項記載の電動工具。
【請求項６】
コンスタントに維持される操作力（Ｆ）に対応して力センサ（３０）から発する信号を検知し、かつ選択可能な時間にわたり操作力（Ｆ）がコンスタントである場合にこのコンスタントな操作力（Ｆ）に対応する運転パラメータを自動的に保つ記憶素子（３８）が起動制御電子装置（２６）に配置されている、請求項１から５までのいずれか１項記載の電動工具。
【請求項７】
起動制御電子装置（２６）に調整ホイール（２８）が対応して配置されており、この調整ホイールによって、運転パラメータに影響を与えるための、力センサ（３０）の作用範囲が予め調整可能である、請求項１から６までのいずれか１項記載の電動工具。
【発明の詳細な説明】
【０００１】
【発明の属する技術分野】
本発明は工具受容部を駆動する駆動軸を備えた駆動モータを有する電動工具であって、駆動モータを起動制御すると共に電動工具の運転パラメータに影響を与える起動制御電子装置が設けられており、その場合、この起動制御電子装置に、運転パラメータに外的な影響を与える調整手段が対応して配置されている形式のものに関する。
【０００２】
【従来の技術】
この種の電動工具は公知である。例えばドリル、ドリルハンマ、回しびき鋸などの一群の電動工具が公知であり、これらの電動工具においては運転パラメータを変更することが望まれる。例えば、電動工具の回転数を予め調整することが公知である。このことのために、駆動モータに、外部から操作可能な調整手段を備えた起動制御電子装置が対応して配置される。この調整手段は周知のように電動工具のハンドグリップ内に組み込まれた調整ホイールから成り、この調整ホイールにより起動制御電子装置を介して回転数が予め規定される。
【０００３】
この場合の欠点とするところは、一面においては調整ホイールの操作のために、電動工具の握り位置を変える必要があり、しかもその際、場合により第２の手が調整ホイールの操作のために使用されなければならないこと、他面においては調整ホイールが電動工具のケーシングのケーシング開口を通して案内されており、その結果、不経済なシール手段が施され、又はケーシングの内室が汚物、特にダストにより汚されるのを甘受しなければならないことにある。
【０００４】
【発明が解決しようとする課題】
本発明の課題は上記欠点を回避することにある。
【０００５】
【課題を解決するための手段】
上記課題は本発明によれば、請求項１に記載のように、調整手段が力センサから成ることにより解決される。
【０００６】
【発明の効果】
本発明によれば、簡単に、特に電動工具の握り位置を変えることなしに運転パラメータに影響を与えることが可能である。起動制御電子装置の調整もしくは制御のための調整手段が力センサから成っていることにより、有利には電動工具の操作時に電動工具のハンドグリップを握る操作員の手の一部による操作力によってこの力センサを負荷することで起動制御電子装置を調整もしくは制御することが可能である。このことのためには握り位置を変える必要がなく、従って電動工具を確実に操作することができる。
【０００７】
本発明の有利な別の構成では、操作員の、ハンドグリップを固定的に握る方の手の親指が届く範囲内に力センサがハンドグリップに組み込まれている。特に、力センサがケーシングの外套のすぐ下方に配置されていれば、ケーシングへ点状の力作用を加えることによって力センサが操作される。本発明の有利なさらに別の構成によれば、力センサの領域内ではケーシングが薄肉に形成されており、その結果、ケーシングを介して、特にケーシング開口を設けることなしに、力センサの操作が可能である。
【０００８】
さらに有利には、調整手段が力センサとして形成されていることにより、電動工具の規定通りの使用時に生じる機械的な負荷、特に振動が調整手段の位置の変化を生ぜしめることがない。
【０００９】
【発明の実施の形態】
次に、添付図面につき本発明の１実施例を詳細に説明する。
【００１０】
図面には電動工具１２のケーシング１０が部分的に示されている。この電動工具１２は、例えば手持ちドリル、ドリルハンマ又はそれに類似したものであることができる。ケーシング１０は、駆動モータ（一般的には電動機）を受容するためのケーシング部分１４と、ハンドグリップ１８の形成のためのケーシング部分１６とを備えている。両方のケーシング部分１４，１６は一部分又は複数部分から成ることができる。ハンドグリップ１８は貫通グリップ開口２０を形成しており、この貫通グリップ開口の内部に、オン・オフスイッチ２４の操作手段２２が配置されている。このオン・オフスイッチ２４を介して電動機の供給電圧が接続もしくは遮断される。
【００１１】
電動工具１２はさらに起動制御電子装置２６を備えており、この起動制御電子装置は例えばハンドグリップ１８の組込みスペース内に組み込まれている。起動制御電子装置２６には調整ホイール２８がオプション的にのみ対応して配置されている。この調整ホイール２８はハンドグリップ１８から少なくとも片側へ突出していて起動制御電子装置２６の詳細には図示されていないポテンシオメータの操作のために役立っている。
【００１２】
ハンドグリップ１８内にはさらに力センサ３０が組み込まれており、そのセンサ面３２はケーシング部分１６の外套３４へ向けられている。この力センサ３０の領域内では、ケーシング部分１６のその他の領域に対比して外套３４が薄肉に形成されることができる。力センサ３０は破線で示す電気的な結合導線３６ａを介して起動制御電子装置２６に結合されている。力センサ３０は、電動工具１２の運転パラメータに外部から影響を与えるための、起動制御電子装置２６の調整手段３６を形成している。
【００１３】
ハンドグリップ１８の内部での力センサ３０の位置は、操作員がハンドグリップ１８を握った際に手の指が貫通グリップ開口２０内に貫通係合されると共に、その手の位置を変えることなく同時にその親指によって力センサ３０を操作できるように選択されている。このことのために、力センサは、大体において、図面から分かるように、ハンドグリップ１８の上方の領域に組み込まれている。勿論、例えば手でハンドグリップ１８を握った状態でその手の母指球により力センサを操作することが可能であれば、力センサ３０をその他の位置に配置することも可能である。
【００１４】
本電動工具１２の機能は次の通りである。
【００１５】
オン・オフスイッチ２２を介して電動工具１２をオンにすると、駆動モータが起動制御電子装置２６を介して供給電圧に結合される。しかし、起動制御電子装置２６は適当な回路構成部分によって、最初は駆動モータの始動を阻止する。力センサ３０のセンサ面３２へ操作力Ｆを加えることにより、駆動モータの高速回転が制御される。（操作員の親指を介して）加える操作力Ｆの大きさに応じて、駆動モータの回転数が停止状態と最大回転数との間で変化する。駆動モータの低速の始動回転を保証するために、最小限の操作力が加えられなければならないようにすると有利である。このようにすれば、最小値の操作力Ｆが力センサ３０に比較的正確に作用させられなければならないため、駆動モータの不慮の高速回転が回避される。電動工具１２の使用中では操作力を変化させることによって、駆動モータの回転数を無段に変化させることができる。特に、使用者への脈動的な応答により、そのつどの要求もしくは要望に適合した極めて正確な回転数調整が可能である。
【００１６】
調整ホイール２８によって付加的に、回転数の種々の最大値の調整を行うことができる。要するに、調整ホイール２８の調整に応じて、同じ操作力でも種々異なる回転数範囲が調整される。
【００１７】
センサ表面に作用する操作力Ｆが選択可能な時間にわたりコンスタントに維持された場合に、操作力Ｆに比例する駆動軸回転数を自動的に保つために起動制御電子装置２６の記憶素子３８が役立てられる。例えば、操作力Ｆの連続的な上昇を介して所定の回転数を選択することができ、この回転数に対応する操作力Ｆを維持することによって自動的にこの回転数が保たれ、その際同時に、力センサ３０を“解放”することができる。記憶素子３８の消去は操作力Ｆによる力センサ３０の新たな負荷により及び／又はオン・オフスイッチ２２の操作により行われる。
【００１８】
勿論、上述の実施例と異なる実施例では、電動工具１２の回転数の代わりに電動工具１２のトルクを調整することができる。さらに、力センサ３０は、電動工具１２が正しい位置に保たれているか否かの質問を実施する可能性を提供する。使用者によって力センサ３０が最初に操作された場合にはじめて、起動制御電子装置２６を介して電動工具１２の運転開始がレリーズされる。このことにより、特に電動工具１２の不慮の作動に対するロックが実現される。
【図面の簡単な説明】
【図１】本発明の１実施例にもとづく電動工具の部分図である。
【符号の説明】
１０  ケーシング、  １２  電動工具、  １４，１６  ケーシング部分、  １８  ハンドグリップ、  ２０  貫通グリップ開口、  ２２  操作手段、  ２４  オン・オフスイッチ、  ２６  起動制御電子装置、  ２８  調整ホイール、  ３０  力センサ、  ３２  センサ表面、  ３４  外套、  ３６  調整手段、  ３６ａ  電気的結合導線、  ３８  記憶素子、  Ｆ  操作力
【図１】
0004191288.tif 000002